(57)【要約】【課題】  画像形成装置において原稿の位置合わせ作業を容易にする。【解決手段】  載置面に載置された原稿をスキャンし、印刷出力するコピー機能を有する画像形成装置であって、前記載置面を当該画像形成装置の内部から撮影することで、動画像を生成する動画撮像部３２８と、少なくとも前記載置面に載置された原稿の位置合わせが可能な状態で動画撮像部３２８により生成された動画像を、コピー条件に基づいて特定される範囲を示す画像とともに、表示部１５１に表示する位置合わせ補助部４００とを有する。【選択図】図４
2015149517.tif 000002
【特許請求の範囲】
【請求項１】
載置面に載置された原稿をスキャンし、印刷出力するコピー機能を有する画像形成装置であって、
前記載置面を当該画像形成装置の内部から撮影することで、動画像を生成する撮像部と、
少なくとも前記載置面に載置された原稿の位置合わせが可能な状態で前記撮像部により生成された動画像を、コピー条件に基づいて特定される範囲を示す画像とともに、表示部に表示する表示制御部と
を有することを特徴とする画像形成装置。
【請求項２】
開閉可能に取り付けられ、閉状態において、前記載置面を覆う圧板部を更に有することを特徴とする請求項１に記載の画像形成装置。
【請求項３】
前記表示制御部は、前記圧板部が閉状態となってから所定時間が経過した後は、該所定時間が経過した時点での前記動画像のフレームを、前記コピー条件に基づいて特定される範囲を示す画像とともに、前記表示部に表示することを特徴とする請求項２に記載の画像形成装置。
【請求項４】
前記撮像部は、前記圧板部の閉状態が解除されることで、前記動画像の生成を開始し、前記圧板部が閉状態となってから所定時間が経過した後に、前記動画像の生成を終了することを特徴とする請求項３に記載の画像形成装置。
【請求項５】
前記表示制御部は、前記コピー条件に含まれる印刷媒体のサイズに基づいて特定される印刷範囲を示す画像を前記表示部に表示することを特徴とする請求項１に記載の画像形成装置。
【請求項６】
前記表示制御部は、前記コピー条件に含まれる拡大率または縮小率に応じて、前記撮像部により生成された動画像を変換して前記表示部に表示することを特徴とする請求項５に記載の画像形成装置。
【請求項７】
前記表示制御部は、更に、前記コピー条件に基づいて特定される範囲の内部の位置を特定するグリッド線を表示することを特徴とする請求項１乃至６のいずれか１項に記載の画像形成装置。
【請求項８】
前記表示制御部は、更に、入力された文字または記号を、前記コピー条件に基づいて特定される範囲の内部の所定の位置に表示するよう制御することを特徴とする請求項１乃至７のいずれか１項に記載の画像形成装置。
【請求項９】
載置面に載置された原稿をスキャンし、印刷出力するコピー機能を有する画像形成装置における画像処理方法であって、
前記載置面を当該画像形成装置の内部から撮影することで、動画像を生成する撮影工程と、
少なくとも前記載置面に載置された原稿の位置合わせが可能な状態で前記撮影工程において生成された動画像を、コピー条件に基づいて特定される範囲を示す画像とともに、表示部に表示する表示制御工程と
を有することを特徴とする画像処理方法。
【請求項１０】
載置面に載置された原稿をスキャンし、印刷出力するコピー機能を有する画像形成装置のコンピュータに、
前記載置面を当該画像形成装置の内部から撮影することで、動画像を生成する撮影工程と、
少なくとも前記載置面に載置された原稿の位置合わせが可能な状態で前記撮影工程において生成された動画像を、コピー条件に基づいて特定される範囲を示す画像とともに、表示部に表示する表示制御工程と
を実行させるためのプログラム。
【発明の詳細な説明】
【技術分野】
【０００１】
本発明は、画像形成装置、画像処理方法及びプログラムに関する。
【背景技術】
【０００２】
従来より、ＭＦＰ（Multifunction Peripheral）等の画像形成装置では、コピー時に原稿が載置されるコンタクトガラス面の周囲に、用紙サイズに応じた指示子を配し、ユーザに対して原稿を載置すべき位置を明示している。
【０００３】
しかしながら、コピー時の原稿の位置合わせ作業は必ずしも容易ではなく、実際には、指示子に対して原稿がずれて載置されたり、方向が誤って載置されたりするなど、位置合わせが不正確となることでコピーミスが発生し、コピーをやり直すケースも少なくない。
【０００４】
これに対して、例えば、特許文献１では、原稿が載置されるコンタクトガラス面を、テレビカメラを用いて内側から撮影し、原稿の載置位置を表示することで、ユーザによるコピーミスを低減させる構成が提案されている。
【発明の概要】
【発明が解決しようとする課題】
【０００５】
しかしながら、上記特許文献１の場合、原稿がコンタクトガラス面にセットされてから（つまり、原稿を載置し、圧板を閉じてから）撮影が開始される構成となっている。このため、コピーボタンを押す前に、撮影された画像を見て最終的な原稿の載置位置を確認すればコピーミスを低減させることは可能となるが、原稿を正しい位置に載置するための位置合わせ作業が容易になるわけではない。
【０００６】
本発明は上記課題に鑑みてなされたものであり、画像形成装置において原稿の位置合わせ作業を容易にすることを目的とする。
【課題を解決するための手段】
【０００７】
本発明の各実施形態に係る画像形成装置は、以下のような構成を有する。すなわち、
載置面に載置された原稿をスキャンし、印刷出力するコピー機能を有する画像形成装置であって、
前記載置面を当該画像形成装置の内部から撮影することで、動画像を生成する撮像部と、
少なくとも前記載置面に載置された原稿の位置合わせが可能な状態で前記撮像部により生成された動画像を、コピー条件に基づいて特定される範囲を示す画像とともに、表示部に表示する表示制御部とを有する。
【発明の効果】
【０００８】
本発明の各実施形態によれば、画像形成装置において原稿の位置合わせ作業を容易にすることが可能となる。
【図面の簡単な説明】
【０００９】
【図１】実施形態に係る画像形成装置の外観構成を示す図である。
【図２】画像形成装置を構成するスキャナ部のハードウェア構成を示す図である。
【図３】画像形成装置全体のハードウェア構成を示す図である。
【図４】画像形成装置の位置合わせ補助機能に関する機能構成を示す図である。
【図５】表示部に表示される位置合わせ補助画面の表示例を示す図である。
【図６】表示部に表示される位置合わせ補助画面の表示例を示す図である。
【図７】表示部に表示される位置合わせ補助画面の表示例を示す図である。
【図８】表示部に表示される位置合わせ補助画面の表示例を示す図である。
【図９】画像形成装置による位置合わせ補助処理の流れを示すフローチャートである。
【図１０】画像形成装置による合成画像生成処理の流れを示すフローチャートである。
【図１１】ユーザによるコピー操作と、表示部に表示される表示画面との関係を示す図である。
【図１２】画像形成装置の位置合わせ補助機能に関する機能構成を示す図である。
【図１３】表示部に表示される位置合わせ補助画面の表示例を示す図である。
【図１４】表示部に表示される位置合わせ補助画面の表示例を示す図である。
【図１５】画像形成装置による位置合わせ補助処理の流れを示すフローチャートである。
【図１６】ユーザによるコピー操作と、表示部に表示される表示画面との関係を示す図である。
【図１７】画像形成装置の位置合わせ補助機能に関する機能構成を示す図である。
【図１８】表示部に表示される位置合わせ補助画面の表示例を示す図である。
【発明を実施するための形態】
【００１０】
以下、本発明の実施形態について添付の図面を参照しながら説明する。なお、本明細書及び図面において、実質的に同一の機能構成を有する構成要素については、同一の符号を付することにより重複した説明を省く。
【００１１】
［第１の実施形態］
＜画像形成装置の外観構成＞
はじめに、本実施形態に係る画像形成装置の外観構成について説明する。図１は、本実施形態に係る画像形成装置１００の外観構成を示す図である。
【００１２】
画像形成装置１００はＭＦＰ（Multifunction Peripheral）であり、コピー機能、スキャン機能、ファクス機能、プリント機能等の画像処理機能を有している。また、コピー機能に関連する機能（例えば、後述する、原稿を位置合わせするための位置合わせ補助機能等）を含む各種機能を有している。
【００１３】
図１に示すように、画像形成装置１００は、圧板部１１０とスキャナ部１２０と印刷部１３０とを含む本体部１４０と、操作部１５０とを有する。
【００１４】
本体部１４０において、圧板部１１０は、スキャナ部１２０に対して開閉可能に取り付けられており、閉状態において、スキャナ部１２０のコンタクトガラス面（載置面）１２１を覆うように構成されている。なお、コンタクトガラス面１２１に原稿が載置されている場合には、閉状態において、圧板部１１０の接触面１１１が原稿の背面に接触する。これにより、コンタクトガラス面１２１に載置された原稿の位置が固定される。
【００１５】
スキャナ部１２０はスキャン機能を有しており、コンタクトガラス面１２１に載置された原稿をスキャンすることで画像データを生成する。スキャナ部１２０において生成された画像データは、例えば、印刷部１３０に送信され、印刷部１３０において印刷出力されることで、コピー機能が実現される。
【００１６】
印刷部１３０はプリント機能を有しており、例えば、操作部１５０を介してユーザにより設定されたコピー条件に基づいて、スキャナ部１２０において生成された画像データを印刷出力する。
【００１７】
操作部１５０は、本体部１４０に実行させるべき画像処理機能の選択、画像処理機能を実行させるための各種設定値の入力、画像処理機能を実行させるための実行指示の入力、表示部１５１の表示画面の切り替え等、ユーザが各種操作を行う際に用いられる。
【００１８】
＜スキャナ部のハードウェア構成＞
次に、画像形成装置１００を構成するスキャナ部１２０のハードウェア構成について説明する。図２は、画像形成装置１００を構成するスキャナ部１２０のハードウェア構成を示す図である。
【００１９】
図２に示すように、スキャナ部１２０の上部には、白基準板２０１が配されており、コンタクトガラス面１２１に載置された原稿２００の側面の位置を規定する。
【００２０】
スキャナ部１２０の内部には、スキャン時に光電読み取りを行うためのランプ部２０２と、ランプ部２０２によって照射された原稿２００からの反射光を誘導するための反射板２０３、２０４、２０５とが設けられている。
【００２１】
更に、反射板２０３、２０４、２０５により誘導された反射光を集光するレンズ２２０と、レンズ２２０により集光された反射光を受光するＣＣＤセンサ２３０とが設けられている。
【００２２】
なお、ランプ部２０２と反射板２０３は、第１キャリッジ２１１に搭載され、反射板２０４、２０５は第２キャリッジ２１２に搭載されている。更に、第１キャリッジ２１１と第２キャリッジ２１２と、レンズ２２０と、ＣＣＤセンサ２３０とは、スキャナ・ブロック・ユニットとして、一体的に構成されている。スキャナ・ブロック・ユニットは、スキャナモータ２４０により、図２の左側から右側に向かって（つまり、副走査方向に）移動しながら、コンタクトガラス面１２１に載置された原稿をスキャンしていく。
【００２３】
更に、本実施形態に係る画像形成装置１００を構成するスキャナ部１２０の内部には、動画像を撮影するカメラ部２５０と、動画像撮影時に点灯するランプ部２６１、２６２とが設けられている。
【００２４】
カメラ部２５０は、コンタクトガラス面１２１の内側（画像形成装置１００の内部）からコンタクトガラス面１２１全体あるいは、コンタクトガラス面１２１のうち、原稿２００が載置された領域を撮影する。ランプ部２６１、２６２は、カメラ部２５０による動画像撮影時に、コンタクトガラス面１２１を照射する。
【００２５】
なお、カメラ部２５０は、スキャナ部１２０に開閉可能に取り付けられた圧板部１１０の閉状態が解除されることで、動画像の撮影を開始する。また、圧板部１１０が閉状態になってから所定時間（例えば、１秒）が経過した後に、撮影を終了する。同様に、ランプ部２６１、２６２は、スキャナ部１２０に開閉可能に取り付けられた圧板部１１０の閉状態が解除されることで点灯し、閉状態になってから所定時間（例えば、１秒）が経過した後に消灯する。
【００２６】
本実施形態に係る画像形成装置１００では、カメラ部２５０により撮影された動画像が、操作部１５０の表示部１５１にリアルタイムに表示される。このため、ユーザは、原稿２００をコンタクトガラス面１２１に載置する際の位置合わせを、コンタクトガラス面１２１側から撮影された動画像を見ながら行うことができる。つまり、スキャン機能を用いてプリスキャンを行うのとは異なり、原稿の載置位置をリアルタイムに表示することができるため、位置合わせ作業が容易になる。
【００２７】
加えて、カメラ部２５０により撮影された動画像はメモリに保持されることなく表示部１５１に表示されるため、メモリ資源を節約することが可能になるといった効果を享受することができる。
【００２８】
なお、図２の例では、カメラ部２５０及びランプ部２６１、２６２を、コンタクトガラス面１２１の下方に配置する構成としているが、本発明はこれに限定されない。スキャナ部１２０の内部であれば、いずれの位置であってもよく、例えば、コンタクトガラス面１２１に対して、斜めの位置に配置する構成であってもよい。
【００２９】
＜画像形成装置全体のハードウェア構成＞
次に、画像形成装置１００全体のハードウェア構成について説明する。図２は、画像形成装置１００全体のハードウェア構成を示す図である。
【００３０】
図３に示すように、画像形成装置１００の操作部１５０は、ＣＰＵ（コンピュータ）３１１、ＲＯＭ３１２、ＲＡＭ３１３、フラッシュメモリ３１４、操作パネル３１５、接続Ｉ／Ｆ３１６、通信Ｉ／Ｆ３１７を有している。また、操作部１５０を構成する各要素は、バス３１８を介して相互に接続されている。
【００３１】
ＣＰＵ３１１は、ＲＡＭ３１３をワークエリアとしてＲＯＭ３１２またはフラッシュメモリ３１４に記録された各種プログラムを実行することにより、操作部１５０全体を制御する。
【００３２】
フラッシュメモリ３１４は、不揮発性記憶媒体であり、ＣＰＵ３１１が実行する各種プログラムや各種データを記録する。
【００３３】
操作パネル３１５は、ユーザが各種操作を行う際に用いられる。操作パネル３１５に含まれる表示部１５１には、画像形成装置１００が有する画像処理機能を実現するための各種条件（コピー条件等）を設定するための設定画面が表示される。更に、カメラ部２５０により撮影された動画像に基づいて、ユーザが原稿の位置合わせを行うための位置合わせ補助画面が表示される。
【００３４】
接続Ｉ／Ｆ３１６は、通信路３３０を介して本体部１４０と通信するためのインタフェースである。ここでは、ＵＳＢ規格のインタフェースが用いられるものとする。通信Ｉ／Ｆ３１７は、不図示の外部機器と通信するためのインタフェースである。
【００３５】
同様に、画像形成装置１００の本体部１４０は、ＣＰＵ（コンピュータ）３２１、ＲＯＭ３２２、ＲＡＭ３２３、ＨＤＤ（Hard Disk Drive）等のコンピュータ読み取り可能な記録媒体である記憶装置３２４を有している。更に、エンジン部３２５、接続Ｉ／Ｆ３２６、圧板開閉検知部３２７、動画撮像部３２８を有している。なお、本体部１４０を構成する各要素は、バス３２９を介して相互に接続されている。
【００３６】
ＣＰＵ３２１は、ＲＡＭ３２３をワークエリアとしてＲＯＭ３２２または記憶装置３２４に記録された各種プログラムを実行することにより、本体部１４０全体を制御するとともに、各種機能（後述する位置合わせ補助機能を含む）を実現する。
【００３７】
記憶装置３２４は、不揮発性記憶媒体であり、ＣＰＵ３２１が実行する各種プログラム（後述する位置合わせ補助機能を実現するために位置合わせ補助部４００として動作するプログラムを含む）や各種データを記録する。
【００３８】
エンジン部３２５は、コピー機能、スキャン機能、ファクス機能、プリント機能等の画像処理機能を実現するための情報処理を行うハードウェアである。エンジン部３２５は、例えば、スキャナ部１２０に配置され、原稿をスキャンして読み取るスキャナハードウェア部３３１（上述のスキャナ・ブロック・ユニット及びスキャナモータ２４０が含まれる）を有する。また、印刷部１３０に配置され、用紙等の印刷媒体への印刷を行うプロッタハードウェア部３３２を有する。更に、エンジン部３２５には、ファクシミリ通信を行う通信部や、印刷済みの印刷媒体を仕分けるフィニッシャ、原稿を自動給送するＡＤＦ（自動原稿給送装置）等が含まれていてもよい。
【００３９】
接続Ｉ／Ｆ３２６は、通信路３３０を介して操作部１５０と通信するためのインタフェースである。ここでは、ＵＳＢ規格のインタフェースが用いられるものとする。
【００４０】
圧板開閉検知部３２７は、圧板部１１０の閉状態及び開状態を検知する。動画撮像部３２８は、カメラ部２５０及びランプ部２６１、２６２を含み、圧板開閉検知部３２７の検知結果に基づいて動作する。
【００４１】
＜画像形成装置の位置合わせ補助機能に関する機能構成＞
次に、画像形成装置１００の位置合わせ補助機能に関する機能構成について説明する。上述したように、画像形成装置１００は、コンタクトガラス面１２１に対して、ユーザが原稿２００を載置する際の原稿の載置位置を、コンタクトガラス面の内側から撮影し、動画像として、操作部１５０の表示部１５１に表示する位置合わせ補助機能を有する。
【００４２】
図４は、画像形成装置１００の当該位置合わせ補助機能に関する機能構成を示す図である。位置合わせ補助機能は、位置合わせ補助部４００として動作するプログラムがＣＰＵ３２１により実行され、各部（３２７、３２８、３１５）と連関することで実現される。
【００４３】
位置合わせ補助部４００には、圧板開閉検知部３２７による検知結果及び動画撮像部３２８により撮影された動画像が入力される。また、操作パネル３１５を介して入力されたユーザの指示に応じたコマンドが入力される。
【００４４】
位置合わせ補助部４００では、これらの入力に応じて動作する、撮影制御部４０１、位置合わせ用画像生成部４０２、撮影画像変換部４０３、合成部４０４、表示制御部４０５を有する。
【００４５】
撮影制御部４０１は、圧板開閉検知部３２７から入力された検知結果に基づいて、動画撮像部３２８の動作を制御する。具体的には、圧板開閉検知部３２７より、圧板部１１０の閉状態が解除された旨の検知結果が入力された場合に、動画撮像部３２８に対して、動画像の撮影開始を指示する。また、圧板開閉検知部３２７より、圧板部１１０が閉状態になった旨の検知結果が入力された場合に、当該入力があってから所定時間（例えば、１秒）経過後に、動画撮像部３２８に対して動画像の撮影終了を指示する。
【００４６】
このように、本実施形態に係る画像形成装置１００では、圧板部１１０の開閉に伴って動画撮像部３２８の撮影開始／終了が制御されるため、ユーザは、位置合わせ補助機能を利用するにあたり、通常のコピー作業以外の操作を行う必要がなく、操作性がよい。また、動画撮像部３２８の撮影開始／終了を制御するための特別な構成を設ける必要もなく、構造が簡単であるといった利点もある。
【００４７】
位置合わせ用画像生成部４０２は、操作パネル３１５の表示部１５１に動画像を表示する際に、当該動画像に合成される位置合わせ用画像を生成する。具体的には、コピー条件入力部４１１により入力されたコピー条件に含まれる、印刷媒体のサイズを示す画像（つまり、印刷範囲を示す画像）を生成する。あるいは、印刷範囲の内部の位置を特定するグリッド線を含む画像を生成する。
【００４８】
撮影画像変換部４０３は、動画撮像部３２８より入力された動画像に含まれる原稿画像を所定の大きさに変換する。具体的には、動画撮像部３２８より入力された動画像に含まれる原稿画像を、操作パネル３１５のコピー条件入力部４１１により入力されたコピー条件に応じた大きさに変換する。
【００４９】
例えば、コピー条件として、所定の拡大率（または縮小率）が入力されていた場合には、動画撮像部３２８より入力された動画像に含まれる原稿画像を、当該拡大率（または縮小率）に応じた大きさに変換する。
【００５０】
合成部４０４は、位置合わせ用画像生成部４０２により生成された位置合わせ用画像と、撮影画像変換部４０３により変換された動画像とを合成し、合成画像を生成する。
【００５１】
表示制御部４０５は、コピー条件を入力するための設定画面を操作パネル３１５の表示部１５１に表示したり、位置合わせ補助画面として、合成部４０４により生成された合成画像を操作パネル３１５の表示部１５１に表示したりする。
【００５２】
＜表示部の表示例（１）＞
次に、位置合わせ補助部４００において生成され、表示部１５１に表示された合成画像の表示例について説明する。
【００５３】
図５は、Ａ４サイズの原稿２００に対して、コピー条件として、"拡大率：１００％"、"印刷媒体：Ａ４サイズ横"が設定された場合の、表示部１５１の表示例を示す図である。図５の左側に示すように、圧板部１１０の閉状態が解除されると、表示部１５１には、位置合わせ用画像生成部４０２において生成された位置合わせ用画像５０１ａ〜５０１ｄが表示される。ここでは、"印刷媒体：Ａ４サイズ横"が設定されているため、Ａ４サイズ横の印刷媒体に印刷される範囲である矩形領域の頂点位置を示す位置合わせ用画像５０１ａ〜５０１ｄが生成される。
【００５４】
なお、圧板部１１０の閉状態が解除されると、動画撮像部３２８により動画像の撮影が開始されるが、図５の左側に示す図では、まだ、原稿２００がコンタクトガラス面１２１に載置されていない。このため、表示部１５１には、原稿画像（原稿２００を示す画像）は表示されていない。
【００５５】
一方、図５の中央に示す図は、ユーザにより、原稿２００がコンタクトガラス面１２１に載置された後の様子を示している。当該図に示すように、原稿２００をコンタクトガラス面１２１に載置した直後において、ユーザはまだ位置合わせ作業を行っていないため、位置合わせ用画像５０１ａ〜５０１ｄに対して、原稿画像（原稿２００を示す画像）はずれている。
【００５６】
これに対して、図５の右側に示す図は、ユーザが、表示部１５１に表示された合成画像（位置合わせ用画像と動画像）を見ながら、位置合わせ作業を行った後の様子を示している。当該図に示すように、ユーザが位置合わせ作業を行うことで、位置合わせ用画像５０１ａ〜５０１ｄにより示される頂点位置と、動画像に含まれる原稿画像（原稿２００を示す画像）の頂点位置とが一致する。
【００５７】
このように、ユーザは、表示部１５１に表示された合成画像を見ながら、位置合わせ用画像５０１ａ〜５０１ｄにより示される頂点位置と、原稿画像の頂点位置とが一致するように、原稿２００の位置合わせを行うことができる。このため、位置合わせ作業を容易に行うことができる。
【００５８】
なお、ユーザによる原稿２００の位置合わせは、位置合わせ用画像５０１ａ〜５０１ｄにより示される頂点位置に、原稿画像の頂点位置を一致させる場合に限定されるものではない。例えば、原稿２００に含まれる情報のうち、印刷出力したくない情報がある場合にあっては、当該印刷したくない情報が、印刷範囲外に位置するように位置合わせを行うこともできる。
【００５９】
＜表示部の表示例（２）＞
図６（ａ）は、Ａ４サイズの原稿２００に対して、コピー条件として、"拡大率：１４０％"、"印刷媒体：Ａ３サイズ横"が設定された場合の、表示部１５１の表示例を示す図である。図６（ａ）の左側に示すように、圧板部１１０の閉状態が解除されると、表示部１５１には、位置合わせ用画像生成部４０２において生成された位置合わせ用画像５０１ａ〜５０１ｄが表示される。ここでは、"印刷媒体：Ａ３サイズ横"が設定されているため、Ａ３サイズ横の印刷媒体に印刷される範囲である矩形領域の頂点位置を示す位置合わせ用画像５０１ａ〜５０１ｄが生成される。
【００６０】
なお、圧板部１１０の閉状態が解除されると、動画撮像部３２８により動画像の撮影が開始されるが、図６（ａ）の左側に示す図では、まだ、原稿２００がコンタクトガラス面１２１に載置されていない。このため、表示部１５１には、原稿画像（原稿２００を示す画像）は表示されていない。
【００６１】
一方、図６（ａ）の中央に示す図は、ユーザにより、原稿２００がコンタクトガラス面１２１に載置された後の様子を示している。ここでは、"拡大率：１４０％"が設定されているため、撮影画像変換部４０３により原稿画像が拡大される。このため、表示部１５１には拡大された原稿画像が表示される。なお、原稿２００をコンタクトガラス面１２１に載置した直後において、ユーザはまだ位置合わせ作業を行っていないため、位置合わせ用画像５０１ａ〜５０１ｄに対して、原稿画像（原稿２００を示す画像）はずれている。
【００６２】
これに対して、図６（ａ）の右側に示す図は、ユーザが、表示部１５１に表示された合成画像（位置合わせ用画像と動画像）を見ながら、位置合わせ作業を行った後の様子を示している。当該図に示すように、ユーザが位置合わせ作業を行うことで、位置合わせ用画像５０１ａ〜５０１ｄにより示される頂点位置と、動画像に含まれる拡大された原稿画像（原稿２００を示す画像）の頂点位置とが一致する。
【００６３】
同様に、図６（ｂ）は、Ａ４サイズの原稿２００に対して、コピー条件として、"縮小率：７０％"、"印刷媒体：Ａ５サイズ横"が設定された場合の、表示部１５１の表示例を示す図である。図６（ｂ）の左側に示すように、圧板部１１０の閉状態が解除されると、表示部１５１には、位置合わせ用画像生成部４０２において生成された位置合わせ用画像５０１ａ〜５０１ｄが表示される。ここでは、"印刷媒体：Ａ５サイズ横"が設定されているため、Ａ５サイズ横の印刷媒体に印刷される範囲である矩形領域の頂点位置を示す位置合わせ用画像５０１ａ〜５０１ｄが生成される。
【００６４】
なお、圧板部１１０の閉状態が解除されると、動画撮像部３２８により動画像の撮影が開始されるが、図６（ｂ）の左側に示す図では、まだ、原稿２００がコンタクトガラス面１２１に載置されていない。このため、表示部１５１には、原稿画像（原稿２００を示す画像）は表示されていない。
【００６５】
一方、図６（ｂ）の中央に示す図は、ユーザにより、原稿２００がコンタクトガラス面１２１に載置された後の様子を示している。ここでは、"縮小率：７０％"が設定されているため、撮影画像変換部４０３により原稿画像が縮小される。このため、表示部１５１には縮小された原稿画像が表示される。なお、原稿２００をコンタクトガラス面１２１に載置した直後において、ユーザはまだ位置合わせ作業を行っていないため、位置合わせ用画像５０１ａ〜５０１ｄに対して、原稿画像（原稿２００を示す画像）はずれている。
【００６６】
これに対して、図６（ｂ）の右側に示す図は、ユーザが、表示部１５１に表示された合成画像（位置合わせ用画像と動画像）を見ながら、位置合わせ作業を行った後の様子を示している。当該図に示すように、ユーザが位置合わせ作業を行うことで、位置合わせ用画像５０１ａ〜５０１ｄにより示される頂点位置と、動画像に含まれる縮小された原稿画像（原稿２００を示す画像）の頂点位置とが一致している。
【００６７】
このように、ユーザは、コピー条件に応じた表示態様で表示された合成画像を見ながら、原稿２００の位置合わせを行うことができるため、位置合わせ作業を容易に行うことができる。
【００６８】
＜表示部の表示例（３）＞
上記表示例（１）、（２）では、位置合わせ用画像として、印刷媒体に印刷される範囲である矩形領域の頂点位置を示す画像を生成する構成としたが、位置合わせ用画像生成部４０２において生成される位置合わせ用画像はこれに限定されない。
【００６９】
図７は、位置合わせ用画像として、印刷範囲の内部の位置を特定するグリッド線を含む画像を生成した場合を示している。なお、図７の例は、Ｂ５サイズの複数の原稿２００ａ〜２００ｃに対して、コピー条件として、"拡大率：１００％"、"印刷媒体：Ａ３サイズ横"が設定された場合の表示部１５１の表示例を示している。
【００７０】
図７の左側に示すように、位置合わせ用画像には、Ａ３サイズ横の印刷媒体に印刷される範囲である矩形領域の頂点位置を示す画像５０１ａ〜５０１ｄに加え、グリッド線７０１ａ、７０１ｂ、７０２ａ〜７０２ｄ等が含まれる。
【００７１】
このうち、グリッド線７０１ａは、印刷範囲を縦に二等分する線であり、グリッド線７０１ｂは、印刷範囲を横に二等分する線である。また、グリッド線７０２ａ〜７０２ｄは、印刷範囲の外縁を示す線である。なお、図７の例では、更に、グリッド線７０２ａと７０２ｃとの間を等間隔に分割する複数のグリッド線が表示されている。
【００７２】
このように、印刷範囲の内部にグリッド線を付加することで、図７の中央に示す図のように、印刷媒体よりも原稿のサイズが小さい場合に、ユーザは、表示部１５１に表示された当該グリッド線を目安にしながら、原稿の位置合わせを行うことができる。また、図７の右側に示す図のように、ユーザは、グリッド線７０１ａや７０２ｃに、原稿の左端位置あるいは下端位置を合わせるように、位置合わせを行うことができる。
【００７３】
なお、図７の例では、グリッド線を印刷範囲の外縁に対して平行に、または直交して配置する場合について示したが、グリッド線の配置はこれに限定されず、印刷範囲の外縁に対して斜めに配置してもよい。また、グリッド線は直線である必要はなく、曲線であってもよい。また、グリッド線は表示／非表示が切り替えられるように構成してもよい。
【００７４】
＜表示部の表示例（４）＞
上記表示例（１）〜（３）では、位置合わせ用画像として、印刷媒体に印刷される範囲である矩形領域の頂点位置を示す画像を生成する構成としたが、位置合わせ用画像生成部４０２において生成される位置合わせ用画像はこれに限定されない。
【００７５】
図８は、位置合わせ用画像として、印刷媒体に印刷される範囲である矩形領域を明示する画像を生成した様子を示している。
【００７６】
このうち、図８（ａ）は、印刷媒体に印刷される範囲である矩形領域を、直線８０１により明示した位置合わせ用画像の一例を示している。また、図８（ｂ）は、印刷媒体に印刷される範囲である矩形領域８０２以外の領域８０３をマスクし、矩形領域８０２内にのみ原稿画像が表示されるように位置合わせ用画像を生成した場合を示している。
【００７７】
更に、図８（ｃ）は、印刷媒体に印刷される範囲である矩形領域を、直線８０１により明示するとともに、印刷媒体上で実際に印刷される領域（余白を除いた領域）を点線８０４で示した位置合わせ用画像の一例を示している。
【００７８】
このように、本実施形態に係る画像形成装置１００の位置合わせ用画像生成部４０２は、印刷媒体に印刷される範囲である矩形領域を示す画像として、任意の態様の位置合わせ用画像を生成することができる。
【００７９】
＜位置合わせ補助処理の流れ＞
次に、画像形成装置１００による位置合わせ補助処理の流れについて図９乃至図１１を用いて説明する。図９は、画像形成装置１００による位置合わせ補助処理の流れを示すフローチャートである。また、図１０は、図９に示す位置合わせ補助処理に含まれる合成画像生成処理の詳細を示すフローチャートである。更に、図１１は、ユーザによるコピー操作と、表示部に表示される表示画面との関係を示す図である。以下、図１１を参照しながら、図９及び図１０のフローチャートについて説明する。
【００８０】
一定時間、操作が行われていなかったことで、省電力モードに移行していた画像形成装置１００に対して、ユーザが復帰操作Ｓ１１０１（図１１）を行うと、ステップＳ９０１では、表示制御部４０５が、表示部１５１に設定画面１１１１（図１１）を表示する。
【００８１】
表示された設定画面１１１１に対して、ユーザはコピー条件入力部４１１を介してコピー条件の設定操作を行う（Ｓ１１０２）。ユーザによる設定操作を受けてステップＳ９０２では、位置合わせ用画像生成部４０２及び撮影画像変換部４０３が、当該コピー条件の設定を受け付ける。
【００８２】
コピー条件の設定操作が完了すると、ユーザは、圧板部１１０の開操作Ｓ１１０３（図１１）を行う。この結果、ステップＳ９０３では、撮影制御部４０１が、圧板部１１０の閉状態が解除されたと判定し、ステップＳ９０４に進む。
【００８３】
ステップＳ９０４では、撮影制御部４０１が動画撮像部３２８に対して動画像の撮影を指示する。これにより、動画撮像部３２８では、カメラ部２５０が動画像を撮影するとともに、ランプ部２６１、２６２が点灯し、撮影制御部４０１では、動画撮像部３２８において撮影された動画像をフレーム単位で取得する。
【００８４】
ステップＳ９０５では、合成画像生成処理をフレーム単位で実行する。具体的には、図１０に示すように、ステップＳ１００１において、撮影画像変換部４０３が、コピー条件に応じた原稿画像を変換する。なお、この時点では、ステップＳ９０４において取得された動画像に、原稿画像が含まれていないため、ステップＳ１００１の処理は実行されない。
【００８５】
ステップＳ１００２では、位置合わせ用画像生成部４０２が、コピー条件に応じて位置合わせ用画像を生成する。更に、ステップＳ１００３では、合成部４０４が、動画像と位置合わせ用画像とを合成し、合成画像を生成する。その後、ステップＳ９０６に進む。
【００８６】
ステップＳ９０６では、表示制御部４０５が合成画像を操作パネル３１５の表示部１５１に表示する（図１１の位置合わせ補助画面１１１２参照）。位置合わせ補助画面１１１２が表示部１５１に表示されたことを受けて、ユーザは、原稿２００をコンタクトガラス面１２１に載置する（Ｓ１１０４）。
【００８７】
この時点では、圧板部１１０は開状態にあることから、ステップＳ９０７からステップＳ９０３に戻り、更に、ステップＳ９０４からステップＳ９０６の処理を実行する。具体的には、撮影制御部４０１が、動画撮像部３２８において撮影された動画像をフレーム単位で取得し、撮影画像変換部４０３が、取得した動画像に含まれる原稿画像を、コピー条件に応じて変換する。また、位置合わせ用画像生成部４０２が、コピー条件に応じて位置合わせ用画像を生成し、合成部４０４が、撮影画像変換部４０３により原稿画像が変換された動画像と、位置合わせ用画像生成部４０２により生成された位置合わせ用画像とを合成する。更に、表示制御部４０５が、生成された合成画像を表示部１５１に表示する（図１１の位置合わせ補助画面１１１３参照）。
【００８８】
位置合わせ補助画面１１１３が表示部１５１に表示されたことを受けて、ユーザは、原稿２００の位置合わせ操作（Ｓ１１０５）を行う。なお、ユーザが位置合わせ操作（Ｓ１１０５）を行っている間、画像形成装置１００では、ステップＳ９０３からステップＳ９０７の処理を繰り返す。
【００８９】
その後、位置合わせ操作が終了すると、ユーザは圧板部１１０を閉状態にする（Ｓ１１０６）。ユーザが圧板部１１０を閉状態にした後、所定時間（例えば、１秒）が経過すると、ステップＳ９０７では、撮影制御部４０１が、圧板部１１０を閉じてから所定時間が経過したと判定し、ステップＳ９０８に進む。
【００９０】
ステップＳ９０８では、表示制御部４０５が、所定時間経過時の合成画像（撮影終了時の最後のフレーム、すなわち静止画像）を表示部１５１に表示し（図１１の位置合わせ補助画面１１１４参照）、ステップＳ９０３に戻る。
【００９１】
なお、圧板部１１０を閉じてから所定時間が経過した際の合成画像（静止画像）を表示部１５１に表示させる構成としたのは、圧板部１１０を閉じる際の風圧により、原稿２００がずれることがあるためである。換言すると、圧板部１１０を閉じた時点での合成画像（静止画像）を表示させる構成とした場合、実際の原稿２００の載置位置と異なる可能性があり、コピーミスを誘発してしまうからである。
【００９２】
ステップＳ９０３では、撮影制御部４０１が、圧板部１１０の閉状態が解除されているか否かを判定し、解除されていないと判定した場合には、ステップＳ９０９に進む。ステップＳ９０９では、操作パネル３１５のコピーボタンが押圧されたか否かを判定する。
【００９３】
ステップＳ９０９において、コピーボタンが押圧されていないと判定した場合には、ステップＳ９０３に戻る。この間、操作パネル３１５の表示部１５１には、ステップＳ９０８において表示された合成画像（静止画像）が表示されている（つまり、図１１の位置合わせ補助画面１１１４の表示が継続している）。
【００９４】
一方、ステップＳ９０９において、コピーボタンが押圧されたと判定した場合には、ステップＳ９０１に戻る。
【００９５】
＜まとめ＞
以上の説明から明らかなように、本実施形態に係る画像形成装置１００では、
・コンタクトガラス面を撮影する動画撮像部をスキャナ部に内蔵させ、圧板の閉状態が解除されたことをトリガーに、動画撮像部による撮影を開始する構成とした。
・動画撮像部により撮影された動画像に含まれる原稿画像を、コピー条件に応じて変換したうえで、コピー条件に応じた位置合わせ用画像と合成し、合成画像を表示部にリアルタイムに表示する構成とした。
【００９６】
これにより、本実施形態に係る画像形成装置１００によれば、ユーザは、表示部に表示された合成画像を見ながら、原稿の位置合わせ作業を行うことが可能となる。また、表示部に表示された合成画像は、コピー条件が反映された原稿画像と位置合わせ用画像とから構成されているため、コピー条件に則した位置合わせ作業を行うことが可能となる。
【００９７】
この結果、画像形成装置において原稿の位置合わせ作業を容易にすることが可能となる。
【００９８】
［第２の実施形態］
上記第１の実施形態では、ユーザが、圧板部１１０の開操作を行う前にコピー条件を設定する場合の構成について説明したが、本発明はこれに限定されず、例えば、ユーザが圧板部１１０の開操作を行った後に、コピー条件を設定または変更できる構成としてもよい。
【００９９】
以下、本実施形態の詳細について説明する。なお、以下では、上記第１の実施形態との相違点を中心に説明を行うものとする。
【０１００】
＜画像形成装置の位置合わせ補助機能に関する機能構成＞
はじめに、本実施形態に係る画像形成装置１００の位置合わせ補助機能に関する機能構成について説明する。図１２は、本実施形態に係る画像形成装置１００の位置合わせ補助機能に関する機能構成を示す図である。図４との相違点は、操作パネル３１５に、画面切替指示部１２０１が含まれている点である。
【０１０１】
画面切替指示部１２０１は、設定画面と位置合わせ補助画面とを切り替えるための切替指示を入力する際に用いられる。ユーザは、任意のタイミングで、設定画面と位置合わせ補助画面とを切り替えることができるものとする。
【０１０２】
＜表示部の表示例（１）＞
次に、本実施形態に係る画像形成装置１００の表示部１５１に表示される合成画像の表示例について説明する。
【０１０３】
図１３は、Ａ４サイズの原稿２００に対して、コピー条件として、"拡大率：１００％"、"印刷媒体：Ａ４サイズ横"が設定された後、"印刷媒体：Ａ４サイズ縦"に変更された場合の、表示部１５１の表示例を示す図である。
【０１０４】
なお、図１３の左側に示す図は、図５の左側に示す図と同じであるため、ここでは説明を省略する。また、図１３の中央に示す図は、図５の右側に示す図と同じであるため、ここでは説明を省略する。
【０１０５】
図１３の右側に示す図は、位置合わせ作業を行った後に、コピー条件を、"印刷媒体：Ａ４サイズ横"から"印刷媒体：Ａ４サイズ縦"に変更した様子を示している。図１３の右側に示すように、印刷媒体が変更されることで、位置合わせ用画像５０１ａ〜５０１ｄの位置が変更され、原稿画像の一部が印刷媒体に印刷されなくなることが示されている。
【０１０６】
これにより、ユーザは、表示部１５１の合成画像を見ながら、再び、位置合わせを行うことができる。つまり、位置合わせ用画像５０１ａ〜５０１ｄにより示される頂点位置と原稿画像の頂点位置とが一致するように、原稿２００の位置合わせを行うことができる。
【０１０７】
あるいは、原稿２００に含まれる情報のうち、印刷出力したくない情報がある場合にあっては、当該印刷したくない情報が、印刷範囲外にあることを確認しながら位置合わせを行うことができる。
【０１０８】
いずれにしても、位置合わせ作業中にコピー条件を変更した場合であっても、容易に位置合わせを行うことができる。
【０１０９】
＜表示部の表示例（２）＞
図１４（ａ）は、Ａ４サイズの原稿２００に対して、コピー条件として、"拡大率：１００％"、"印刷媒体：Ａ４サイズ横"が設定された後、"拡大率：１４０％"、"印刷媒体：Ａ３サイズ横"に変更された場合の、表示部１５１の表示例を示す図である。
【０１１０】
なお、図１４（ａ）の左側及び中央に示す図は、図１３の左側及び中央に示す図と同じであるため、ここでは説明を省略する。
【０１１１】
図１４（ａ）の右側に示す図は、位置合わせ作業を行った後に、コピー条件として、"拡大率：１００％"から"拡大率：１４０％"に変更するとともに、"印刷媒体：Ａ４サイズ横"から"印刷媒体：Ａ３サイズ横"に変更した様子を示している。
【０１１２】
図１４（ａ）の右側に示すように、印刷媒体が変更されることで、位置合わせ用画像生成部４０２では、位置合わせ用画像５０１ａ〜５０１ｄの位置を変更する。また、拡大率が変更されることで、撮影画像変換部４０３では、動画像に含まれる原稿画像を拡大する。
【０１１３】
これにより、コピー条件変更後も、位置合わせ用画像５０１ａ〜５０１ｄにより示される頂点位置と、原稿画像（原稿２００を示す画像）の頂点位置とが一致していることを確認することができる。
【０１１４】
同様に、図１４（ｂ）は、Ａ４サイズの原稿２００に対して、コピー条件として、"拡大率：１００％"、"印刷媒体：Ａ４サイズ横"が設定された後、"縮小率：７０％"、"印刷媒体：Ａ５サイズ横"に変更された場合の、表示部１５１の表示例を示す図である。
【０１１５】
なお、図１４（ｂ）の左側及び中央に示す図は、図１３の左側及び中央に示す図と同じであるため、ここでは説明を省略する。
【０１１６】
図１４（ｂ）の右側に示す図は、位置合わせ作業を行った後に、コピー条件を、"縮小率：１００％"から"縮小率：７０％"に変更するとともに、"印刷媒体：Ａ４サイズ横"から"印刷媒体：Ａ５サイズ横"に変更した様子を示している。
【０１１７】
図１４（ｂ）の右側に示すように、印刷媒体が変更されることで、位置合わせ用画像生成部４０２では、位置合わせ用画像５０１ａ〜５０１ｄの位置を変更する。また、縮小率が変更されることで、撮影画像変換部４０３では、動画像に含まれる原稿画像を縮小する。
【０１１８】
これにより、コピー条件変更後も、位置合わせ用画像５０１ａ〜５０１ｄにより示される頂点位置と、原稿画像（原稿２００を示す画像）の頂点位置とが一致していることを確認することができる。
【０１１９】
＜位置合わせ補助処理の流れ＞
次に、本実施形態に係る画像形成装置１００による位置合わせ補助処理の流れについて図１５及び図１６を用いて説明する。図１５は、画像形成装置１００による位置合わせ補助処理の流れを示すフローチャートである。また、図１６は、ユーザによるコピー操作と、表示部により表示される表示画面との関係を示す図である。以下、図１６を参照しながら、図１５のフローチャートについて説明する。
【０１２０】
なお、図１５のステップＳ９０１からステップＳ９０５までの処理は、図９のステップＳ９０１からステップＳ９０５までの処理と同じである。また、ユーザのコピー操作（図１６のＳ１１０１〜Ｓ１１０４）と表示画面（図１６の設定画面１１１１、位置合わせ補助画面１１１２、１１１３）は、図１１のＳ１１０１〜Ｓ１１０４及び設定画面１１１１、位置合わせ補助画面１１１２、１１１３と同じである。したがって、ここでは、これらの説明を省略する。
【０１２１】
ステップＳ１５０１では、表示制御部４０５が設定画面への切替指示を受け付けたか否かを判定する。ユーザが、画面切替指示部１２０１を介して設定画面への切替指示を入力した場合（図１６のＳ１６０１）、表示制御部４０５ではこれを受け付け、ステップＳ１５０２に進む。
【０１２２】
ステップＳ１５０２では、表示制御部４０５が表示部１５１に設定画面１６１１（図１６）を表示する。表示部１５１に設定画面１６１１が表示されることで、ユーザが、コピー条件の設定操作を行うと（図１６のＳ１６０２）、ステップＳ１５０３では、位置合わせ用画像生成部４０２及び撮影画像変換部４０３がこれを受け付ける。
【０１２３】
この時点では、圧板部１１０は開状態にあることから、ステップＳ９０７からステップＳ９０３に戻り、更に、ステップＳ９０４からステップＳ９０６の処理を実行する。
【０１２４】
具体的には、撮影制御部４０１が、動画撮像部３２８において撮影された動画像をフレーム単位で取得し、撮影画像変換部４０３が、取得した動画像に含まれる原稿画像を、コピー条件に応じて変換する。また、位置合わせ用画像生成部４０２が、コピー条件に応じて位置合わせ用画像を生成する。なお、このとき撮影画像変換部４０３及び位置合わせ用画像生成部４０２において用いられるコピー条件は、ステップＳ１５０３において受け付けたコピー条件である。更に、合成部４０４が、撮影画像変換部４０３により原稿画像が変換された動画像と、位置合わせ用画像生成部４０２により生成された位置合わせ用画像とを合成する。
【０１２５】
なお、この時点で位置合わせ補助画面への切替指示が入力されていない場合には、設定画面の表示を継続する。
【０１２６】
一方、ユーザが、位置合わせ補助画面への切替指示を入力することで（図１６のＳ１６０３）、表示制御部４０５が、位置合わせ補助画面の切替指示を受け付けると、ステップＳ１５０１からステップＳ９０６に進む。
【０１２７】
ステップＳ９０６では、表示制御部４０５が、表示部１５１の表示画面を設定画面から位置合わせ補助画面へと切り替え、合成画像を表示する。図１６の位置合わせ補助画面１６１２は、位置合わせ補助画面への切替指示が入力されたことで、表示部１５１に表示された表示画面の一例である。
【０１２８】
位置合わせ補助画面１６１２が表示部１５１に表示されたことを受けて、ユーザは、原稿２００の位置合わせ操作（Ｓ１１０５）を行う。なお、ユーザが位置合わせ操作（Ｓ１１０５）を行っている間、画像形成装置１００では、ステップＳ９０３からステップＳ９０７の処理を繰り返す。
【０１２９】
その後、位置合わせ操作が終了すると、ユーザは圧板部１１０を閉状態にする（Ｓ１１０６）。ユーザが圧板部１１０を閉状態にした後、所定時間（例えば、１秒）が経過すると、ステップＳ９０７では、撮影制御部４０１が、圧板部１１０を閉じてから所定時間が経過したと判定し、ステップＳ９０８に進む。
【０１３０】
なお、図１５のステップＳ９０８からステップＳ９０９までの処理は、図９のステップＳ９０８からステップＳ９０９までの処理と同じである。また、ユーザの操作（図１６のＳ１１０７）は、図１１のＳ１１０７と同じである。したがって、ここでは、これらの説明を省略する。
【０１３１】
＜まとめ＞
以上の説明から明らかなように、本実施形態に係る画像形成装置１００では、上記第１の実施形態に係る画像形成装置１００に加え、更に、
・画面切替指示部を設け、表示部に表示される表示画面として、設定画面と位置合わせ補助画面とを任意のタイミングで切り替えることができる構成とした。
・設定画面に切り替えられ、ユーザにより変更されたコピー条件は、位置合わせ補助画面に切り替えられた際に反映される構成とした。
【０１３２】
これにより、本実施形態に係る画像形成装置１００によれば、位置合わせ作業中にコピー条件を変更した場合であっても、容易に位置合わせを行うことが可能となる。
【０１３３】
［第３の実施形態］
上記第１及び第２の実施形態では、動画像と位置合わせ用画像とを合成して表示する構成としたが、本発明はこれに限定されない。例えば、操作パネルを介して入力された文字や記号等を更に合成して表示する構成としてもよい。また、このとき合成する文字や記号等は、印刷出力されるように構成してもよい。
【０１３４】
以下、本実施形態の詳細について説明する。なお、以下では、上記第１または第２の実施形態との相違点を中心に説明を行うものとする。
【０１３５】
＜画像形成装置の位置合わせ補助機能に関する機能構成＞
はじめに、本実施形態に係る画像形成装置１００の位置合わせ補助機能に関する機能構成について説明する。図１７は、本実施形態に係る画像形成装置１００の位置合わせ補助機能に関する機能構成を示す図である。図１２との相違点は、位置合わせ補助部４００に付加画像生成部１７０１が含まれている点、及び、操作パネル３１５に文字入力部１７０２が含まれている点である。
【０１３６】
付加画像生成部１７０１は、文字入力部１７０２を介してユーザにより入力された文字や記号等を用いて、印刷媒体に付加されるヘッダやフッタ等の不透過な付加画像を生成する。また、表示部１５１に表示される位置合わせ補助画面に、付加画像を生成するための入力欄を提供する。
【０１３７】
文字入力部１７０２は、付加画像を生成する際に用いられる文字や記号等をユーザが入力する際に用いられる。
【０１３８】
＜表示部の表示例＞
次に、本実施形態に係る画像形成装置１００の表示部１５１に表示される合成画像の表示例について説明する。
【０１３９】
図１８は、本実施形態に係る画像形成装置１００の表示部１５１に表示される合成画像の表示例を示す図である。図１８に示すように、本実施形態に係る画像形成装置１００では、位置合わせ補助画面に切り替えられることで、合成画像に加え、ヘッダ入力欄１８１０とフッタ入力欄１８２０とが表示される。
【０１４０】
ヘッダ入力欄１８１０は、タイトル入力欄１８１１と日付入力欄１８１２とを含む。文字入力部１７０２を介して、タイトル入力欄１８１１に文字や記号等を入力することで、付加画像生成部１７０１では、付加画像として、ヘッダ位置にタイトル画像を生成する。また、文字入力部１７０２を介して、日付入力欄１８１２に文字や記号等を入力することで、付加画像生成部１７０１では、付加画像として、ヘッダ位置に日付画像を生成する。
【０１４１】
フッタ入力欄１８２０は、日付入力欄１８２１とページ入力欄１８２２とタイトル入力欄１８２３とを含む。文字入力部１７０２を介して、日付入力欄１８２１に文字や記号等を入力することで、付加画像生成部１７０１では、付加画像として、フッタ位置に日付画像を生成する。また、文字入力部１７０２を介して、ページ入力欄１８２２に文字や記号等を入力することで、付加画像生成部１７０１では、付加画像として、フッタ位置にページ画像を生成する。更に、文字入力部１７０２を介して、タイトル入力欄１８２３に文字や記号等を入力することで、付加画像生成部１７０１では、付加画像として、フッタ位置にタイトル画像を生成する。
【０１４２】
図１８の例では、フッタ入力欄１８２０のページ入力欄１８２２に、"１ページ"が入力されている。このため、付加画像生成部１７０１では、コピー条件に応じた印刷範囲のフッタ位置に、"１ページ"が配された付加画像を生成する。合成部４０４では、生成した付加画像を位置合わせ用画像及び動画像と合成する。この結果、表示部１５１には付加画像１８３０が表示される。
【０１４３】
付加画像１８３０が表示された状態で、ユーザが原稿２００の位置合わせ作業を行うと、図１８の右側に示すように、原稿画像の所定の位置に付加画像１８３０が重畳して表示されることとなる。
【０１４４】
なお、この状態で圧板部１１０を閉状態にし、コピーボタンを押圧すると、原稿２００にページ番号が付加されたコピー結果を得ることができる。
【０１４５】
＜まとめ＞
以上の説明から明らかなように、本実施形態に係る画像形成装置１００では、上記第１及び第２の実施形態に係る画像形成装置１００に加え、更に、
・付加画像生成部及び文字入力部を設け、位置合わせ補助画面を表示させた際に、ヘッダ位置またはフッタ位置に文字や記号等の付加画像を重畳して表示させる構成とした。
・付加画像生成部において生成した付加画像を、印刷出力するように構成した。
【０１４６】
これにより、本実施形態に係る画像形成装置１００によれば、付加画像が付加された原稿画像を見ながら位置合わせ作業を行うことが可能となり、付加画像を付加した場合であっても、コピーミスを低減させることが可能となる。
【０１４７】
［その他の実施形態］
上記第１乃至第３の実施形態では、圧板開閉検知部３２７による検知結果に基づいて動画撮像部３２８の撮影開始／終了を制御する構成としたが、本発明はこれに限定されない。別途、撮影開始／終了を指示する指示部を設け、ユーザがマニュアル操作により、撮影開始／終了を指示する構成としてもよい。当該指示部を操作することで、ユーザは、任意のタイミングで撮影開始／終了を指示することが可能となる。なお、指示部は、操作パネル３１５内において、ハードウェアボタンとして形成してもよいし、表示部１５１にソフトウェアボタン（例えば、動画像撮影用のカメラマークのボタン）として形成してもよい。
【０１４８】
また、圧板部１１０の閉状態が解除され、動画撮像部３２８の撮影が開始された場合であっても、一定時間、ユーザによる操作がなく、省電力モードに移行した場合にあっては、動画撮像部３２８の撮影を自動的に終了させる構成としてもよい。同様に、圧板部１１０の閉状態が解除されている状態で、省電力モードから復帰した場合にあっては、動画撮像部３２８の撮影を自動的に開始させる構成としてもよい。
【０１４９】
更に、画像形成装置１００の省電力モードに連動して、動画撮像部３２８の撮影開始／終了を制御させるか否かは、ユーザの指示に基づいて切り替えられる構成としてもよい。
【０１５０】
あるいは、画像形成装置１００の省電力モードとは別個にタイマーによる監視を行い、一定時間（例えば、省電力モードへ移行するまでの時間よりも短い時間）、ユーザによる操作がなかった場合に、動画撮像部３２８の撮影を自動的に終了させる構成としてもよい。なお、この場合、動作撮像部３２８の撮影を開始させるための構成として、ユーザによるマニュアル操作を受け付ける上記指示部を備えていることが前提となる。
【０１５１】
また、上記第１乃至第３の実施形態では、位置合わせ補助部４００として動作するプログラムを記憶装置３２４に格納する構成としたが、本発明はこれに限定されず、他のメモリに格納されてもよい。また、上記第１乃至第３の実施形態では、位置合わせ補助部４００として動作するプログラムをＣＰＵ３２１が実行することで位置合わせ補助機能を実現する構成としたが、本発明はこれに限定されず、専用のハードウェアを用いて実現する構成としてもよい。
【０１５２】
また、上記第１乃至第３の実施形態では、動画撮像部３２８に動画像撮影用にランプ部２６１、２６２を設ける構成としたが、本発明はこれに限定されない。例えば、スキャン時に光電読み取りを行うためのランプ部２０２を、動画像撮影用のランプ部として用いる構成としてもよい。
【０１５３】
この場合、ランプ部２０２は、撮影制御部４０１より動画像撮影開始の指示が出力されたことをトリガーに点灯し、動画像の撮影が可能な光量でコンタクトガラス面１２１を照射する。更に、コピーボタンが押圧されたことをトリガーに、印刷出力が可能な光量でコンタクトガラス面１２１を照射する。
【０１５４】
また、上記第１乃至第３の実施形態では、操作パネル３１５は、本体部１４０と一体的に構成されているものとして説明したが、本発明はこれに限定されず、操作パネル３１５は、本体部１４０に対して着脱可能であってもよい。
【０１５５】
また、上記第１乃至第３の実施形態では、合成画像を操作パネル３１５の表示部１５１に表示する構成としたが、本発明はこれに限定されない。例えば、画像形成装置１００の操作部１５０と通信可能な外部機器であるタブレット端末等の表示部に表示する構成としてもよい。
【０１５６】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０１５７】
１００          画像形成装置
１１０          圧板部
１１１          接触面
１２０          スキャナ部
１２１          コンタクトガラス面
１３０          印刷部
１４０          本体部
１５０          操作部
１５１          表示部
２００          原稿
２０１          白基準板
２０２          ランプ部
２０３〜２０５  反射板
２１１          第１キャリッジ
２１２          第２キャリッジ
２２０          レンズ
２３０          ＣＣＤセンサ
２４０          スキャナモータ
２５０          カメラ部
２６１、２６２  ランプ部
【先行技術文献】
【特許文献】
【０１５８】
【特許文献１】特開平４−２７１３７４号公報
【図１】
2015149517.tif 000003
【図２】
2015149517.tif 000004
【図３】
2015149517.tif 000005
【図４】
2015149517.tif 000006
【図５】
2015149517.tif 000007
【図６】
2015149517.tif 000008
【図７】
2015149517.tif 000009
【図８】
2015149517.tif 000010
【図９】
2015149517.tif 000011
【図１０】
2015149517.tif 000012
【図１１】
2015149517.tif 000013
【図１２】
2015149517.tif 000014
【図１３】
2015149517.tif 000015
【図１４】
2015149517.tif 000016
【図１５】
2015149517.tif 000017
【図１６】
2015149517.tif 000018
【図１７】
2015149517.tif 000019
【図１８】
2015149517.tif 000020